(57)【要約】【課題】  閉鎖姿勢にある可動片を開放させる方向へ操作部材が誤作動するのを確実に防止する。【解決手段】  略中間部を軸支されて傾動するように筐体２内に配設された操作部材３は、可動片４Ａ，４Ｂが開放姿勢のときに進入してきた第１の入賞球が前端部３４側に当接したときの荷重によって当該前端部３４が下降移動させられ、可動片４Ａ，４Ｂを閉鎖姿勢にするとともに、可動片４Ａ，４Ｂが閉鎖姿勢のときに操作部材３の後端部３９側に進入してきた第２の入賞球が後端部３９側に当接したときの荷重によって前端部３４が上昇移動させられ、可動片４Ａ，４Ｂを開放姿勢にする。上昇規制部材６は、操作部材３の前端部３４が下降した状態でその上昇移動を規制する規制位置へ移動するとともに、第２の入賞球の進入によって規制位置の外へ揺動移動させられる。【選択図】        図７
2006034874.tif 000002
【特許請求の範囲】
【請求項１】
略中間部を軸支されて傾動するように筐体内に配設された操作部材と、当該操作部材の一端部が当接し、当該一端部の上昇移動に伴って開放姿勢に移動させられるとともに前記一端部の下降移動に伴って閉鎖姿勢に移動させられる一対の可動片とを具備し、前記操作部材は、前記可動片が開放姿勢のときに進入してきた第１の入賞球が前記一端部側に当接したときの荷重によって当該一端部が下降移動させられるとともに、前記可動片が閉鎖姿勢のときに前記操作部材の他端部側に進入してきた第２の入賞球が他端部側に当接したときの荷重によって前記一端部が上昇移動させられるものである遊技機の入賞球受口器において、前記操作部材の一端部が下降した状態でその上昇移動を規制する規制位置へ移動させられるとともに、前記第２の入賞球の進入によって前記規制位置の外へ移動させられる上昇規制部材を設けたことを特徴とする遊技機の入賞球受口器。
【請求項２】
前記上昇規制部材は回転可能に設けられ、前記規制位置にてその一端が前記操作部材に当接して前記操作部材の一端部の上昇移動を規制し、この状態で前記上昇規制部材は他端が前記第２の入賞球の進入経路に突出して、前記操作部材の他端部上方より進入してきた前記第２の入賞球が前記他端に当接することによって前記上昇規制部材の前記一端が前記規制位置の外へ移動させられるようになっている請求項１に記載の遊技機の入賞球受口器。
【請求項３】
前記上昇規制部材は揺動可能に設けられて前記規制位置にてその先端が前記操作部材の上面に当接して前記一端部の上昇移動を規制し、前記第２の入賞球が、進入経路たる前記操作部材の上面を他端部側へ向けて転動する間に、前記第２の入賞球が前記上昇規制部材に当接して前記先端が前記規制位置の外へ揺動させられるようになっている請求項１に記載の遊技機の入賞球受口器。
【請求項４】
前記上昇規制部材は、自重によって前記規制位置へ移動させられるようになっている請求項１ないし３のいずれかに記載の遊技機の入賞球受口器。
【発明の詳細な説明】
【技術分野】
【０００１】
本発明は、パチンコ遊技機、アレンジボール遊技機等の遊技機の入賞球受口器に関し、特に、開放姿勢と閉鎖姿勢の間で移動する可動片を備えた入賞球受口器に関する。
【背景技術】
【０００２】
この種の入賞球受口器には、一対の翼状可動片を備えて、特別遊技状態ではこれら翼状可動片を大きく離間方向へ開いて入賞球を受けるようにして、受口器への入賞確率が飛躍的に高まるようにしたものがある。そして、上記可動片の開閉作動を、特許文献１に示すように、入賞球の荷重が両端のいずれに付加されるかによって正逆傾動する、いわゆる天秤式の操作部材によって行うようにしたものが知られている。
【特許文献１】特開昭６１−３７９号
【発明の開示】
【発明が解決しようとする課題】
【０００３】
ところで、上記従来の天秤式の入賞球受口器において、遊技領域内を転動する遊技球が入賞球受口器に衝突した際の振動等によって操作部材が可動片を開放作動させるように傾動してしまう不具合があった。
【０００４】
そこで、本発明はこのような課題を解決するもので、閉鎖姿勢にある可動片を開放させる方向へ操作部材が誤作動するのを確実に防止できる遊技機の入賞球受口器を提供することを目的とする。
【課題を解決するための手段】
【０００５】
上記目的を達成するために、本第１発明では、略中間部を軸支されて傾動するように筐体（２）内に配設された操作部材（３）と、当該操作部材（３）の一端部（３４）が当接し、当該一端部（３４）の上昇移動に伴って開放姿勢に移動させられるとともに一端部（３４）の下降移動に伴って閉鎖姿勢に移動させられる一対の可動片（４Ａ，４Ｂ）とを具備し、操作部材（３）は、可動片（４Ａ，４Ｂ）が開放姿勢のときに進入してきた第１の入賞球が一端部（３４）側に当接したときの荷重によって当該一端部（３４）が下降移動させられるとともに、可動片（４Ａ，４Ｂ）が閉鎖姿勢のときに操作部材（３）の他端部（３９）側に進入してきた第２の入賞球が他端部（３９）側に当接したときの荷重によって一端部（３４）が上昇移動させられるものである遊技機の入賞球受口器において、操作部材（３）の一端部（３４）が下降した状態でその上昇移動を規制する規制位置へ移動させられるとともに、第２の入賞球の進入によって規制位置の外へ移動させられる上昇規制部材（５，６）を設ける。
【０００６】
本第１発明では、操作部材は第２の入賞球が進入するまでは、上昇規制部材によって一端部が下降した状態でその上昇移動が規制されているから、この間に、遊技領域内を転動する遊技球が入賞球受口器に衝突した際の振動等が作用しても操作部材の一端部が上昇して可動片が開放姿勢になってしまうことがない。
【０００７】
本第２発明では、 上記上昇規制部材（６）は回転可能に設けられ、上記規制位置にてその一端（６１）が操作部材（３）に当接して操作部材（３）の一端部（３４）の上昇移動を規制し、この状態で上昇規制部材（６）は他端（６４）が第２の入賞球の進入経路に突出して、操作部材（３）の他端部（３９）上方より進入してきた第２の入賞球が他端（６４）に当接することによって上昇規制部材（６）の一端（６１）が規制位置の外へ移動させられるようになっている。本第２発明では、操作部材の他端部の上方より進入してきた入賞球によって、可動片が開放する方式の入賞球受口器において、簡易的な構造で、操作部材の上昇移動規制機能を構成する事ができる。
【０００８】
本第３発明では、上記上昇規制部材（５）は揺動可能に設けられて規制位置にてその先端（５１）が操作部材（３）の上面に当接して一端部（３４）の上昇移動を規制し、第２の入賞球が、進入経路たる操作部材（３）の上面を他端部（３９）側へ向けて転動する間に、第２の入賞球が上昇規制部材（５）に当接して先端（５１）が規制位置の外へ揺動させられるようになっている。本第３発明では、操作部材の上面を他端部側へ向けて転動する入賞球によって可動片が開放する方式の入賞球受口器において、簡易的な構造で、操作部材の上昇移動規制機能を構成する事ができる。
【０００９】
本第４発明では、上記上昇規制部材は、自重によって上記規制位置へ移動させられるようになっている。本第４発明においては、上昇規制部材が簡易かつ確実に規制位置へ移動させられる。
【００１０】
なお、上記カッコ内の符号は、後述する実施形態に記載の具体的手段との対応関係を示すものである。
【発明の効果】
【００１１】
以上のように、本発明の遊技機の入賞球受口器によれば、可動片を開放させる方向への操作部材の誤作動を確実に防止することができる。
【発明を実施するための最良の形態】
【００１２】
（第１実施形態）
図１は可動片が閉鎖姿勢となった状態での入賞球受口器の断面図、図２はその概略正面図である。また、図３は可動片が開放姿勢となった状態での入賞球受口器の断面図、図４はその概略正面図である。入賞球受口器１の筐体２は、操作部材３を収納した容器部２１と、その前面に装着されたカバー部２２とから構成されている。容器部２１の前壁２１１には開口２１２が形成されており、前壁２１１の外周部は取付用のフランジとなっている（図２）。カバー部２２は容器部２１の前壁２１１に接する底壁２２１と、底壁２２１から立ち上がる前壁２２２を備えた断面Ｌ字状のもので、前壁２２２は上記前壁２１１よりも狭幅の所定形状に成形されて、前壁２１１に対して一定間隔を保って略平行に延びている。
【００１３】
前壁２２２の裏面には上下方向の中間の左右位置に、前壁２１１に向けて突出する一対の軸体４１が設けられて、これら各軸体４１にそれぞれ翼状の可動片４Ａ，４Ｂの基端部が貫通孔を嵌装させて回動可能に装着されている。前後の前壁２１１，２２２の間に位置させられた各可動片４Ａ，４Ｂは、対向する内側面が略平面状に成形され、外側面は膨出する曲面状に成形されている。可動片４Ａ，４Ｂが閉鎖姿勢にある状態では、左右の可動片４Ａ，４Ｂは内側面を略平行に対向させて起立姿勢となっている。開放姿勢では、左右の可動片４Ａ，４Ｂは互いに離間方向へ傾倒する（図４）。可動片４Ａ，４Ｂ間に形成される入賞開口１１の開口径は、可動片４Ａ，４Ｂが閉鎖姿勢にある場合には、これに進入する遊技球（第２の入賞球）の外径よりやや大きい程度であるのに対して、可動片４Ａ，４Ｂが開放姿勢にある場合には、これに進入する遊技球（第１の入賞球）の外径に対して十分大きくなる。なお、各可動片４Ａ，４Ｂの内側面は、閉鎖姿勢のこれら可動片４Ａ，４Ｂの間に進入した入賞球を、操作部材３に向けてスムーズに案内するような壁形状（凸形状）に成形されている。
【００１４】
容器部２１内に収納された操作部材３は長方形状の板体で、その中間位置において幅方向へ貫設された軸部材３１により容器部２１の側壁間に回転可能に支持されて、天秤式に傾動可能である。操作部材３の一方の側縁にはこれに沿って長手方向へ一定高さのガイド壁３２が形成されて、可動片４Ａ，４Ｂが閉鎖姿勢の状態でこれらの間に進入して操作部材３の上面に至った入賞球を、他端部たる後端部３９方向へ確実に案内するようにしてある。ここで、ガイド壁３２の長手方向の中間部上面には、上記軸部材３１よりも、一端部たる前端部３４方向へ寄った位置に、詳細を後述する上昇規制部材５の先端５１を当接係合させる凹所３７が形成されている。凹所３７は前側面が急峻な斜面に、後側面が緩やかな斜面になっている。操作部材３は図１に示す傾倒状態ではその前端部３４が下降して、全体が後方へやや下り傾斜している。
【００１５】
傾倒状態の操作部材３の前端部３４は左右の可動片４Ａ，４Ｂの基端部間に割り込むように位置して（図２）これら可動片４Ａ，４Ｂを起立させ、閉鎖させている。この状態で上記前端部３４は、左右の可動片４Ａ，４Ｂが開いた状態でこれらの間に進入する入賞球が流下する流路となる前壁２１１，２２２間の空間Ｓ内に突出している。操作部材３の他端部たる後端部３９には下方へ露出させて幅方向へ延びる磁石体３８が嵌着されており、上記後端部３９の下方には容器部２１の側壁間に、上記磁石体３８が吸着可能な金属製棒体２６が架設されている。操作部材３の前半部下面からは下方へ当接部４０が突出している。当接部４０は下端が前方へ屈曲し、下端部４０１は前方へ漸次狭幅になって流路Ｓ内に突出している。前端部３４が上昇した傾斜状態では（図３）、操作部材３は全体が大きく後方へ下り傾斜する。操作部材３の後端部３９には段付きに低くなりかつ側方へ傾斜した凹所３３が形成されており、後端部３９上に落下させられた入賞球Ｂ（図３）は前端部３４方向へ逆流することなく上記傾斜にしたがって操作部材３上から図略の流路へ落下排出されるようになっている。操作部材３が傾斜状態になると、磁石体３８が棒体２６に吸着して傾斜状態を確実に維持するようになっている。
【００１６】
容器部２１内には上昇規制部材５が設けてある。上昇規制部材５は棒体で、基端（上端）５２が側壁上端部間に架設された軸部材５３に回転可能に結合されて揺動可能に自重によって垂下し、図１に示す規制位置になっている。上昇規制部材５の先端（下端）５１は鉤状に屈曲して規制位置では操作部材３の上記凹所３７内に進入し、当該凹所３７の後側面に沿ってこれに当接した状態で凹所３７に係合している。これにより、遊技領域内を転動する遊技球が入賞球受口器１に衝突した際の振動等によって、操作部材３が軸部材３１回りに図１の時計方向へ回動してその前端部３４が上昇した傾斜状態となる（図３）ことは防止され、可動片４Ａ，４Ｂの閉鎖姿勢が確実に維持される。
【００１７】
このような構造の入賞球受口器１において、可動片４Ａ，４Ｂが閉鎖姿勢にある状態でこれらの間に入賞球が進入すると、入賞球Ｂは
可動片４Ａ，４Ｂの内側面に形成された凸形状により案内されて、操作部材３の前端部３４側へ落下し、進入経路となっている操作部材３の傾斜する上面をその後端部３９へ向けて転動する。そして、転動途中で上昇規制部材５に当接して（図５）これを後方の規制位置外へ揺動させる（図６）。これにより、上昇規制部材５の下端５１が操作部材３の凹所３７から外れて当接状態が解消され、操作部材３の傾斜状態への傾動が可能となる。操作部材３は後端部３９へ至った入賞球Ｂの荷重を受けて傾斜状態になり（図３）、その前端部３４が上昇して可動片４Ａ，４Ｂが自重により開放姿勢になる。入賞球Ｂは操作部材３の後端部上から図略の流路へ落下排出される。可動片４Ａ，４Ｂが開放姿勢にある状態でこれらの間に入賞球が進入すると、入賞球は空間Ｓ内を流下する間にここに突出している操作部材３の当接部４０の下端部４０１に当接して、その荷重によって操作部材３を再び傾倒状態へ回動させ（図１）、可動片４Ａ，４Ｂを閉鎖姿勢にする。この間に、上昇規制部材５は自重によって再び垂下姿勢の規制位置になって、その下端５１が操作部材３の凹所３７に当接係合し、以後、前端部３４が上昇した傾斜状態へ操作部材３が回動するのは防止される。
【００１８】
（第２実施形態）
本実施形態では、入賞球が閉鎖姿勢の可動片４Ａ，４Ｂの間には進入せず、別に設けた進入経路から入賞球受口器１内に進入する構造のものに本発明を適用した場合について説明する。図７において、受口器１の筐体２、可動片４Ａ，４Ｂ（一方のみ示す）、操作部材３等の構造は第１実施形態と同様であり、以下は相違点を中心に説明する。図７では、操作部材３は傾倒状態となって、その前端部３４が左右の可動片４Ａ，４Ｂの基端部間に割り込むように位置し、これら可動片４Ａ，４Ｂを起立閉鎖させている。操作部材３の上面中間部には図９に示すように係合部７が突出形成してある。係合部７には前上方へ向く略Ｌ字形断面の係合面７１が形成されて、この係合面７１に、規制位置となった上昇規制部材６（図７）の、一端６１の角形外周が当接し係合している。これにより、遊技領域内を転動する遊技球が入賞球受口器１に衝突した際の振動等によって操作部材３が軸部材３１回りに図７の時計方向へ回動してその前端部３４が上昇した傾斜状態となる（図８）ことは防止され、可動片４Ａ，４Ｂの閉鎖姿勢が確実に維持される。なお、上昇規制部材６の一端６１内には重錘６２が埋設されている。
【００１９】
上昇規制部材６は全体が逆Ｌ字形に屈曲形成されており、その中間屈曲部が、容器部２１の側壁上端部間に架設された軸部材６３に回転可能に結合されている。これにより、上昇規制部材６の一端６１は上記軸部材６３を中心に揺動可能である。容器部２１の頂壁は操作部材３の後端部３９上方で開放して入賞口２３となり、その下方空間Ｐは操作部材３の後端部３９へ至る入賞球（第２の入賞球）Ｂの進入経路となっている。そして、上昇規制部材６の他端６４が上記進入経路Ｐ内へ突出している。なお、容器部２１の側壁間には、入賞口２３の開口縁に沿って上昇規制部材６の上方位置に、前方へ水平に延びるストッパ板２４が形成されている。
【００２０】
このような構造において、可動片４Ａ，４Ｂが閉鎖姿勢にある状態で入賞口２３から入賞球Ｂが進入すると、当該入賞球Ｂは進入経路Ｐを経て操作部材３の後端部３９へ落下する途中で上昇規制部材６の他端６４へ当接して、その荷重で上昇規制部材６を軸部材６３回りに時計方向へ回動させる（図７の鎖線）。これに伴い上昇規制部材６の一端６１が前上方の規制位置外へ揺動して係合面７１との係合状態を解消する。なお、この時、ストッパ板２４によって上昇規制部材６の一端６１の過回動が防止される。
【００２１】
入賞球Ｂは上昇規制部材６の他端６４に当接した後、操作部材３の他端部３９上に落下してその荷重によって、操作部材３を図８に示すように前端部３４が上昇した傾斜状態へ回動させる。これにより、上記前端部３４が可動片４Ａ，４Ｂの間から抜け出してこれらが自重により開放姿勢となる。入賞球Ｂは操作部材３の後端部３９上から図略の流路へ落下排出される。
【００２２】
可動片４Ａ，４Ｂが開放姿勢にある状態でこれらの間に入賞球が進入すると、入賞球は空間Ｓ内を流下する間にここに突出している操作部材３の当接部４０の下端部４０１に当接して、その荷重によって操作部材３を再び傾倒状態へ回動させ（図７）、可動片４Ａ，４Ｂを閉鎖姿勢にする。この間に、上昇規制部材６の一端６１は自重によって再び下方の規制位置へ揺動して操作部材３の係合部７の係合面７１と係合する。以後、前端部３４が上昇した傾斜状態へ操作部材３が回動するのは防止される。なお、操作部材３の前端部３４には、流路Ｓ内を流下する入賞球を下方へ支障無く通過させるように切欠き部３５（図９）が形成されるとともに、切欠き部３５に隣接した前端部３４の板面上には山形断面のストッパ部３６が一定幅で突出形成されて、開放姿勢の可動片４Ａ，４Ｂ間に連続して複数の入賞球が入賞したときに、操作部材３上を入賞球が後端部３９方向へ転動することがないようになっている。
【００２３】
上記第１実施形態において、上昇規制部材６は必ずしも揺動する構造である必要は無く、例えば規制位置と規制位置外を直線移動するようなものであっても良い。また、第１および第２実施形態において、上昇規制部材５，６を自重に代えてバネ部材の付勢力等で規制位置へ戻すようにしても良い。
【図面の簡単な説明】
【００２４】
【図１】本発明の第１実施形態における、可動片が閉鎖姿勢にある状態での入賞球受口器の垂直断面図である。
【図２】可動片が閉鎖姿勢にある状態での入賞球受口器の概略正面図である。
【図３】可動片が開放姿勢にある状態での入賞球受口器の垂直断面図である。
【図４】可動片が開放姿勢にある状態での入賞球受口器の概略正面図である。
【図５】可動片が閉鎖姿勢にある状態での入賞球受口器の垂直断面図である。
【図６】可動片が閉鎖姿勢にある状態での入賞球受口器の垂直断面図である。
【図７】本発明の第２実施形態における、可動片が閉鎖姿勢にある状態での入賞球受口器の垂直断面図である。
【図８】可動片が開放姿勢にある状態での入賞球受口器の垂直断面図である。
【図９】操作部材の斜視図である。
【符号の説明】
【００２５】
２...筐体、３...操作部材、３４...前端部、３９...後端部、４Ａ，４Ｂ...可動片、５...上昇規制部材、５１...先端、６...上昇規制部材、６１...一端、６４...他端、Ｂ...入賞球、Ｓ...流路（空間）。
【図１】
2006034874.tif 000003
【図２】
2006034874.tif 000004
【図３】
2006034874.tif 000005
【図４】
2006034874.tif 000006
【図５】
2006034874.tif 000007
【図６】
2006034874.tif 000008
【図７】
2006034874.tif 000009
【図８】
2006034874.tif 000010
【図９】
2006034874.tif 000011